(57)【特許請求の範囲】
【請求項１】
一端部に薬剤の吐出部を有したシリンダと、該シリンダに沿って移動される押し具とを備えた薬剤押出器具、及び、ゲル状薬剤を開封可能に密封した薬剤入り容器を備えた薬剤付着用具セットであって、
前記押し具は、先端部を前記吐出部に向けて前記シリンダに挿入される軸部と、該軸部に結合されて前記シリンダ外へ延びる押し込み用の操作部とを備え、
前記シリンダは、前記薬剤入り容器を前記押し具による押圧位置へ挿入するための挿入口と、薬剤を付着すべき被付着面に当接される当接部とを備え、
前記吐出部は、前記薬剤入り容器を前記押し具による押圧力に抗して保持する保持部と、前記押圧力により該薬剤入り容器から押し出される薬剤の吐出を行なうための放出口とを備えており、
前記薬剤入り容器の容器本体は、開封可能に密封された開口部と、該開口部の対向位置にある端壁と、前記開口部側の周縁と前記端壁とを結ぶ側壁とを有し、該側壁が前記端壁側へ縮径する錐台形状をなし、かつ、前記開口部の面の垂線に対して３〜１５度の傾斜角を有し、
前記軸部の先端部は、前記端壁の周縁部より僅かに小さい径を有することを特徴とする薬剤付着用具セット。
【請求項２】
前記薬剤入り容器の容器本体の端壁が、容器本体の開口部から遠ざかる側に隆起した環状リブを周縁部に備えており、前記軸部の先端部は、隆起した該環状リブの内側に嵌合する径を有することを特徴とする請求項１に記載の薬剤付着用具セット。
【請求項３】
前記薬剤入り容器の容器本体における前記端壁の環状リブは、周方向に等高状に延びていることを特徴とする請求項１又は２に記載の薬剤付着用具セット。
【請求項４】
前記薬剤入り容器の容器本体における前記端壁の環状リブには、該環状リブの隆起高さを減じた凹部が周方向に間隔をおいて形成されていることを特徴とする請求項１から３のいずれかに記載の薬剤付着用具セット。
【請求項５】
前記薬剤入り容器の容器本体は、前記開口部側の周縁を囲むフランジを備えていることを特徴とする請求項１から４のいずれかに記載の薬剤付着用具セット。
【請求項６】
前記軸部の先端部は、該先端部の周縁に沿って延びる環状の切り欠きにより、前記薬剤入り容器の容器本体の端壁における隆起した環状リブに嵌合する径を有した凸部と、その周囲の凹部とが形成されていることを特徴とする請求項１から５のいずれかに記載の薬剤付着用具セット。
【請求項７】
前記軸部は、前記薬剤入り容器の容器本体を前記端壁側から押圧して圧壊したときに、圧壊後の容器本体の高さの少なくとも一部に相当する範囲に亘って、前記先端部から基端部側へ径を漸増していることを特徴とする請求項１から６のいずれかに記載の薬剤付着用具セット。
【発明の詳細な説明】
【技術分野】
【０００１】
本発明は、洗浄、殺菌、芳香等の作用を有するゲル状薬剤を壁面等の被付着面に付着させるための薬剤付着用具セットに関する。
【背景技術】
【０００２】
水洗トイレの芳香、消臭、洗浄等を目的として、固形または液状の芳香・消臭剤や洗浄剤を容器に収納し、洗浄水への接触により、薬剤を洗浄水に徐放して便器内に導く多種多様な器具が用いられている。
【０００３】
一方、水洗トイレの便器（大便器、小便器）、洗面台、浴室、シャワー室、自動食器洗い機、居室等において、ゲル状薬剤を壁面等の被付着面に付着させれば、流水や空気に薬剤成分が拡散して、壁面の洗浄、殺菌や、室内への芳香付与等の効果が得られる。これによれば、薬剤を徐放させるための容器を設置する必要がなくなる。
【０００４】
この効果を得るためには、適量のゲル状薬剤をその粘着性に基づき被付着面に付着させる必要があり、そのためのいくつかの器具が提案されている。
【０００５】
例えば、特許文献１に記載の器具は、一端に吐出口を有するシリンダに複数回分のゲル状薬剤を充填し、先端にピストンを結合したタペットをシリンダの他端から挿入したものであり、手でシリンダを把持し、タペットを必要な距離だけ押し込むことにより、１回分の薬剤を吐出口から吐出させ、その先端側の被付着面に付着させる。
【０００６】
特許文献２に記載の器具は、一端に吐出口を有するシリンダに複数回分の薬剤を収容し、他端からプランジャを挿入するものであり、プランジャは、シリンダを囲む筒状の外側スリーブと、シリンダ内に挿入される内側押圧部とを結合したものであり、シリンダの先端には吐出口を囲む覆い部（シュラウド）が設けられている。使用の際は、覆い部を壁面に押し当てた状態で、シリンダに対してプランジャを所定距離押し込む。シリンダ及び内側押圧部には、所定の押し込み距離毎に係合して手応えや音で使用者に知覚させるインデックス手段が設けられており、プランジャを手で押し込む際に、インデックス手段に規定される量を単位として薬剤を吐出させることができる。
【先行技術文献】
【特許文献】
【０００７】
【特許文献１】国際公開No.ＷＯ０３／０４３９０６
【特許文献２】特表２００９−５００２５４号公報
【発明の概要】
【発明が解決しようとする課題】
【０００８】
しかしながら、これらの器具は、シリンダ内に複数回分の薬剤を収容し、ピストンまたはプランジャの押し込みを段階的に進行させることによって、１回分ずつ吐出する構造となっている。
【０００９】
したがって、特許文献１の器具では押し込み距離を使用者が判断して押し込み操作をする必要があり、不注意により適切量の吐出が得られないことがある。また、特許文献２の器具においては、インデックス手段による押し込み時の手応えや音に正確に反応できなかったり、押込み速度が適切でなくインデックス機能が働かなかったりすると、やはり適切量の吐出が得られないことがある。
【００１０】
さらに、シリンダ内に収容された薬剤は、全てを使い切るまでの期間シリンダ内に放置されることになる結果、揮発性薬剤の場合は、時間と共に揮発性成分が減少し、薬効が低下するという問題を生じる。
【００１１】
そこで、本発明は、適切量の吐出を確実に行なうことができ、揮発性薬剤の場合にも揮発性成分の減少による薬効低下の問題を生じない薬剤付着用具セットを提供することを目的とする。
【課題を解決するための手段】
【００１２】
本発明は、前記目的を達成するため、一端部に薬剤の吐出部を有したシリンダと、該シリンダに沿って移動される押し具とを備えた薬剤押出器具、及び、ゲル状薬剤を開封可能に密封した薬剤入り容器を備えた薬剤付着用具セットであって、前記押し具は、先端部を前記吐出部に向けて前記シリンダに挿入される軸部と、該軸部に結合されて前記シリンダ外へ延びる押し込み用の操作部とを備え、前記シリンダは、前記薬剤入り容器を前記押し具による押圧位置へ挿入するための挿入口と、薬剤を付着すべき被付着面に当接される当接部とを備え、前記吐出部は、前記薬剤入り容器を前記押し具による押圧力に抗して保持する保持部と、前記押圧力により該薬剤入り容器から押し出される薬剤の吐出を行なうための放出口とを備えており、前記薬剤入り容器の容器本体は、開封可能に密封された開口部と、該開口部の対向位置にある端壁と、前記開口部側の周縁と前記端壁とを結ぶ側壁とを有し、該側壁が前記端壁側へ縮径する錐台形状をなし、かつ、前記開口部の面の垂線に対して３〜１５度の傾斜角を有し、前記軸部の先端部は、前記端壁の周縁部より僅かに小さい径を有することを特徴とする薬剤付着用具セットを提供するものである。
【００１３】
本発明に係る薬剤付着用具セットによれば、薬剤押出器具のシリンダの挿入口から薬剤入り容器を挿入し、薬剤を付着すべき被付着面に当接部を当接した状態で、押し具の操作部を押し込むことにより、薬剤入り容器から押し出されるゲル状薬剤の吐出が放出口を経て行なわれ前記被付着面に付着する。そして、薬剤押出器具を前記被付着面から引き離せば、該被付着面にゲル状薬剤が付着した状態が得られる。
【００１４】
被付着面に付着する薬剤の量は、容器本体への薬剤の封入量によって決められるので、一般の使用者が用いる際に、適切量の吐出を確実に行なうことができ、使用者の不注意などによる付着量の過不足を防止することができる。しかも、薬剤が容器本体に封入されているので、揮発性薬剤の場合でも、使用時まで揮発性成分の揮散を防止し長期間にわたり薬効を保持することができる。
【００１５】
また、薬剤入り容器の容器本体は、開封可能に密封された開口部を有し、前記軸部の先端部は、前記開口部の対向位置にある端壁の環状リブより僅かに小さい径を有したものとされている。したがって、薬剤入り容器から薬剤を押し出す際に押し具がシリンダ内へ押し込まれると、軸部の先端部は、端壁の中央部から環状リブまでの広い範囲を伴って押込み方向に移動する。これにより、容器本体内のゲル状薬剤は大部分が容器外に押し出され、容器本体内に残留する量は僅かとなって、薬剤の効率的な押し出しが可能となる。
【００１６】
前記薬剤入り容器の容器本体は、前記端壁が、容器本体の開口部から遠ざかる側に隆起した環状リブを備えており、前記軸部の先端部は、隆起した該環状リブの内側に嵌合する径を有したものとすることができる。こうすることにより、軸部による押圧力が、容器本体における隆起した環状リブに分散し、容器本体の変形が局部的な偏りを生じることなく進行する。その結果、容器本体内に残留する量はより僅かとなり、薬剤のより効率的な押し出しが可能となる。
【００１７】
前記薬剤入り容器の容器本体は、前記開口部側の周縁と前記端壁とを結ぶ側壁が、前記端壁側へ縮径する錐台形状をなしている。そのため、端壁側へ縮径する側壁は、軸部による押込み方向に径が次第に大きくなる。したがって、端壁が押込み方向へ移動すると、側壁は、小径側が、より径の大きい押込み方向の側壁部分の内側へ向かって主として変形する。したがって、前記端壁の中央部を押圧することにより、変形した側壁の高さよりも下方へ該中央部を押し下げることができる。これにより、変形後に容器内に残留する内容物の量はごく僅かとなり、効率的な排出が可能となる。
【００１８】
しかも、前記薬剤入り容器の容器本体側壁の錐台形状は、容器本体の開口部の面の垂線に対して３〜１５度の傾斜角を有している。この傾斜角が前記下限値より小さいと、押込み時に、側壁の小径側がより径の大きい押込み方向の側壁部分の内側へ向かって主として変形するという作用が得難くなる。また、この傾斜角が前記上限値より大きいと、変形後の側壁内側の隙間が大きくなり、残留する内容物の量が多くなる。                                                                            
【００１９】
前記薬剤入り容器の容器本体における前記端壁の環状リブは、周方向に等高状に延びているものとすることができる。この薬剤入り容器は、環状リブより低くなっている端壁中央部を前記押し具の軸部で押圧すれば、周方向に等高状に延びる環状リブが、押圧力を側壁に均等状に伝えつつ下降する。錐台形状の側壁は、押込み方向に径が漸増しているので、環状リブの下降に伴って、側壁は小径側が、より大きい径の部分の内側へ向かう傾向を持って変形する。したがって、端壁の中央部を押圧することにより、変形した側壁の高さよりも下方へ該中央部を押し下げることができる。これにより、変形後に容器内に残留する内容物の量はごく僅かとなり、効率的な排出が可能となる。
【００２０】
前記薬剤入り容器の容器本体端壁の環状リブには、該環状リブの隆起高さを減じた凹部を周方向に間隔をおいて形成することができる。こうすれば、環状リブは、隆起部中に凹部を伴った凹凸構造に基づいて強度と保形性が増す。これに基づき、環状リブは、押圧力を側壁に伝えつつ下降し、側壁は皺を発生させながら変形し、重なり合った状態にほぼ環状に押し潰されて行く。したがって、端壁の中央部を押圧することにより、変形した側壁の高さよりも下方へ該中央部を押し下げることができる。これにより、変形後に容器内に残留する内容物の量はごく僅かとなり、効率的な排出が可能となる。
【００２１】
薬剤入り容器の前記容器本体は、前記開口部の面に沿う方向に延びて該開口部側の周縁を囲むフランジを備えているものとすることができる。こうすることにより、薬剤入り容器は、軸部によって押圧されたときに、フランジの広い面で押圧力を受けることができ、押圧力による圧壊時に、容器本体がしっかりと支持される。その結果、容器本体が押圧方向からずれたり外れたりするのがより確実に防止され、効率のよい薬剤の押し出しをより確実に行なうことができる。
【００２２】
前記軸部の先端部は、該先端部の周縁に沿って延びる環状の切り欠きにより、前記容器本体の端壁における隆起した環状リブに嵌合する径を有した凸部と、その周囲の凹部とが形成されているものとすることができる。こうすることにより、押し具により薬剤入り容器から薬剤を押し出す際に、軸部の先端部における凸状の中央部とその周囲の凹部とで、容器本体端壁の隆起した環状リブに嵌合し、押込み時に容器本体が軸部からずれたり外れたりするのが防止され、効率のよい薬剤の押し出しをより確実に行なうことができる。
【００２３】
前記軸部は、前記容器本体を前記端壁側から押圧して圧壊したときに、圧壊後の容器本体の高さの少なくとも一部に相当する範囲に亘って、前記先端部から基端部側へ径を漸増しているものとすることができる。こうすることにより、押し具で容器本体を変形させる際に、変形の進行に伴って前記軸部が容器本体の側壁に密に接し、容器本体内に残留する薬剤の量はより僅かとなる。特に、容器本体が前記端壁側へ縮径する錐台形状をなす場合は、軸部による端壁側からの押圧時に、容器本体は径方向内側へ折り返されるように変形する。そして、押込みが開口端側へ移行するにしたがって、折り曲げ箇所はより大きな径の側壁部分へと移行するが、これと同時に、より大きな軸径部分が側壁に接触する。その結果、折り返された側壁の径方向外側部分と内側部分とがごく接近した状態となり、圧壊後に容器本体内に残留する薬剤の量はより僅かとなる。
【発明の効果】
【００２４】
このように、本発明によれば、適切量の吐出を確実に行なうことができ、揮発性薬剤の場合にも揮発性成分の減少による薬効低下の問題を生じない薬剤付着用具セットを提供することができる。
【図面の簡単な説明】
【００２５】
【図１】本発明の一実施形態に係る薬剤付着用具セットを示す斜視図であり、その構成要素である薬剤押出器具、器具スタンド及び薬剤入り容器を示す。
【図２】図１に示した薬剤押出器具のシリンダ、器具スタンド及び挿入前の薬剤入り容器を示す斜視図である。
【図３】図１に示した薬剤押出器具のシリンダに薬剤入り容器を挿入した状態を示す斜視図である。
【図４】図１に示した薬剤押出器具における押し具の斜視図であり、(b) は(a) に対して軸線回りに約１８０°回転した位置を示す。
【図５】図４に示した押し具の縦断面図である。
【図６】図１に示した薬剤付着用具セットに用いる薬剤入り容器の底部を示す斜視図である。
【図７】図３に示した薬剤押出器具における保持部を中心に示す縦断面図である。
【図８】図１に示した薬剤付着用具セットの使用状態を示す斜視図である。
【図９】本発明の他の実施形態に係る薬剤付着用具セットを示す斜視図であり、(a) はその構成要素である薬剤押出器具のシリンダ及び薬剤入り容器を示す斜視図、(b) は薬剤入り容器を他の角度から見た斜視図、(c) は(b) の薬剤入り容器を開封した状態で示す斜視図である。
【図１０】本発明のさらに他の実施形態に係る薬剤付着用具セットを示す斜視図である。
【図１１】図１０に示す薬剤付着用具セットを分解した状態で示す斜視図である。
【図１２】本発明のさらに他の実施形態に係る薬剤付着用具セットにおける薬剤押出器具のシリンダ及び薬剤入り容器を示す斜視図である。
【図１３】図１２に示した薬剤付着用具セットにおける薬剤押出器具を示す斜視図である。
【図１４】図１３の薬剤押出器具のＣ−Ｃ線に沿う断面を示す図である。
【図１５】本発明のさらに他の実施形態に係る薬剤付着用具セットに関し、その薬剤付着用具セットに用いる薬剤入り容器の例を示す斜視図である。
【図１６】本発明のさらに他の実施形態に係る薬剤付着用具セットに関し、その薬剤付着用具セットに用いる薬剤入り容器の他の形態を示すものであり、(a) は斜視図、(b) は縦断面図である。
【図１７】他の形態の薬剤入り容器の押圧状況を示す縦断面図である。
【図１８】図１に示した薬剤付着用具セットによる薬剤入り容器の押圧状況を示す縦断面図である。
【図１９】本発明のさらに他の実施形態に係る薬剤付着用具セットについて、その押し具を示す縦断面図である。
【図２０】図１９に示した押し具による薬剤入り容器の押圧状況を示す縦断面図である。
【図２１】本発明のさらに他の実施形態に係る薬剤付着用具セットについて、その押し具の先端部及び薬剤入り容器の押圧状況を示す縦断面図である。
【図２２】図１に示した薬剤押出器具の使用状態の一例を示す斜視図である。
【発明を実施するための形態】
【００２６】
以下、本発明の実施形態について添付図面を参照しつつ説明する。図面中の同一又は同種の部分については、同じ番号を付して説明を一部省略する。
（第一実施形態）
【００２７】
図１は、本発明の一実施形態に係る薬剤付着用具セットを示す斜視図であり、その構成要素である薬剤押出器具１、器具スタンド３及び薬剤入り容器４を示す。この実施形態に係る薬剤付着用具セットは、水流を受ける水洗便器の内面にゲル状薬剤を付着させるのに好適に使用されるものである。
【００２８】
薬剤付着用具セットの薬剤押出器具１は、一端に開口部１１を有し、他端側に薬剤の吐出部１２を有したシリンダ１０と、該シリンダに沿って移動される押し具２０とを備えている。薬剤押出器具は、吐出部を薬剤の被付着面に向けて使用されるので、被付着面の向きに応じて姿勢が変化するが、以下の実施形態では、特に断らない限り、開口部のある側を上、吐出部のある側を下として説明する。
【００２９】
図２はシリンダ１０及び薬剤入り容器４を挿入前の状態で示す斜視図、図３はシリンダ１０に薬剤入り容器４を挿入した状態を示す斜視図である。図４及び図５は押し具２０を示しており、図４は見る方向を異ならせた２つの斜視図、図５は縦断面図である。
【００３０】
シリンダ１０は、図２及び図３に示すように、円筒状をなす胴部１５と、薬剤入り容器４をシリンダ１０内に挿入するために該胴部に設けられた挿入口１３と、使用時に薬剤を付着すべき被付着面に当接される当接部１４とを備えている。
【００３１】
吐出部１２は、胴部１５の底部において径方向に延びる仕切壁で形成された保持部１２１と、該仕切壁に貫通孔として設けられた放出口１２２とを備えている。
【００３２】
胴部１５には、径方向外方へ突出した突起１５１が設けられており、胴部１５には、該突起１５１の上端部付近から両側部付近を通って下方へ延びるスリット１５２により、弾力的に変形する短冊状の支持片１５３が形成されている。
【００３３】
押し具２０は、図４及び図５に示すように、棒状に延び先端部がほぼ平らな押圧面２１０とされた軸部２１と、該軸部の基端側において径方向外側に張り出した端壁２３と、端壁２３から軸部２１に沿って該軸部の先端側へ延びる操作部２２とを備えている。操作部２２は、シリンダ１０の外径より大きい内径を有した円筒状をなし、使用時にはシリンダ１０を覆う鞘部となり、押し具２０を押し込むために手で把持される。操作部２２の下端には、径方向外方へ張出したフランジ２２１が設けられている。
【００３４】
また、操作部２２の軸方向中央部には、上下方向に細長く延びる窓２５が形成され、操作部２２には、径方向に対向する位置で下端から上方へ延びる細長いスリット２２２，２２３が形成されている。スリット２２２，２２３は、各々後述するシリンダ１０の翼片１５５，１６５及びタブ１８を受け入れるように設けられている。
【００３５】
薬剤押出器具１は、図１に示した組み立て状態においては、シリンダ１０の開口部１１から押し具２０の軸部２１が挿入されており、胴部１５は軸部２１と操作部２２との間に収まり、操作部２２は胴部１５を鞘状に覆った状態となっている。この状態において、胴部１５の突起１５１が操作部２２の窓２５から突出し、窓２５の上下長さにより突起１５１の移動範囲が決められ、これにより操作部２２の押込み範囲が決められる。
【００３６】
薬剤入り容器４は、カップ状の容器本体４０にゲル状薬剤を入れ容器本体４０の開口端を面部材５０で開封可能に密封したものである。容器本体４０は、開口端を上にした状態において、下方へ縮径する円錐台形状の側壁４２と、該側壁の底部を閉じる端壁４３と、側壁４２の上縁部から径方向外方へ開口面に沿う方向に延びるフランジ４１とを備えている。フランジ４１の一部は径方向に延長されてＶ字状をなす摘み部４４となっている。
【００３７】
この錐台形状の容器本体４０は、軸部２１による押込み方向に径が次第に大きくなっている。したがって、容器を押圧したときに、端壁４３側の側壁部分が、より径の大きい部分の内側へと変形して行く。その結果、変形後の側壁内側の隙間が小さくなり、残留する内容物の量を僅かにすることができる。この点から、側壁４２の錐台形状は、容器本体の開口部の面の垂線に対して、３〜１５度の傾斜角を有するものとすることができる。上記傾斜角が、３度より小さいと、このような変形を得る確実性が低下する。また、上記傾斜角が１５度より大きいと、側壁は内側へ変形するが、変形後の側壁内側の隙間が大きくなり、残留する内容物の量が多くなる。この観点から、この実施形態では、上記傾斜角は６度とされている。
【００３８】
この容器本体４０は、ポリエチレンテレフタレート、ポリプロピレン、ポリエチレン等で形成することができる。面部材５０は、ポリエチレンテレフタレート／アルミニウム／ナイロン／イージーピールシーラントの積層体等で形成され、剥離可能にフランジ４１に接合されている。ここで、イージーピールシーラントとは、ポリエチレン、ポリプロピレン等の混合物であって、容器に対して易剥離性能を示すものであれば良い。この接合は、接着剤による接着、熱融着等により行なうことができる。
【００３９】
図６に示すように、容器本体４０の端壁４３は、容器本体４０の開口端の面に平行に位置する中央部４３１と、該中央部４３１より下方（開口端の面から遠ざかる側）へ隆起して端壁４３の外周縁に沿って延びる環状リブ４３２とを備えている。環状リブ４３２には、隆起高さを減じた凹部４３３が底部周方向に等間隔で８箇所に形成されている。
【００４０】
押し具２０の軸部２１の先端部は、容器本体４０の中央部４３１及び環状リブ４３２の段部に嵌合するように、中央の凸部２１１とその周囲の凹部２１２とを備え、凸部２１１の平らな面が押圧面２１０を形成している。
【００４１】
シリンダ１０の吐出部１２における保持部１２１は、容器本体４０のフランジ４１を支持するように平らな受け面１２１ａを備えている。この実施形態においては、放出口１２２は、薬剤入り容器から押し出される薬剤の断面形状を決める吐出口１２２ａとして形成されており、容器本体４０の開口部より小さい径で保持部１２１に開口している。吐出口１２２ａの形状は、吐出されるゲル状薬剤の断面形状を決めるので、薬効、美観、洗浄水から受ける力等を考慮して、形状や寸法を決めるのが望ましい。
【００４２】
さらに保持部１２１は、図７に示すように、胴部１５の下端付近で径方向外側に水平に突出した後、曲折して下方へ延びる張出し部１２５を備えている。この張出し部１２５の内面は、受け面１２１ａから上方へ間隙をおいて該受け面１２１ａに沿って延びる近接面１２１ｂを形成している。また、該受け面１２１ａ及び近接面１２１ｂは、薬剤入り容器４のフランジ４１を受け入れる保持溝１２１ｃを形成している。
【００４３】
シリンダ１０の挿入口１３は、胴部１５をほぼ１８０度で周方向に切り欠いたものであり、下端が保持部１２１の受け面１２１ａの高さとされ、上端が薬剤入り容器４より僅かに高い位置にある。シリンダ１０には、挿入口１３を開閉し得る扉部１６が設けられている。扉部１６は、閉じたときに胴部１５と共に一つの円筒形状をなすように挿入口１３を覆う形状を有し、次に説明するようにして、ヒンジ１７により胴部１５に結合されている。胴部１５における挿入口１３の側縁部には、径方向外方へ延びる翼片１５５が形成されており、扉部１６の固定側の側縁部にも同様の形状の翼片１６５が形成されている。ヒンジ１７は、２つの翼片１５５，１６５を結合する薄肉部で形成され、シリンダ１０の軸線に平行に延び、扉部１６を回動可能に結合している。
【００４４】
扉部１６の先端側（ヒンジ１７から遠い側）にある側縁には、扉部１６を閉じたときに、径方向外方へ向くようにしてタブ１８が設けられている。タブ１８は、扉部１６の開閉時に指でつまむことができる大きさとされている。
【００４５】
当接部１４は、保持部１２１を形成する仕切壁の外周縁から下方（吐出側）へ延びるようにして相互に間隔をおいて設けられた４本の脚部１４１を備えている。脚部１４１の各々は、上部から下部にかけて先細状になっており、幅の細い部分がより撓みやすくなっている。
【００４６】
図２に示すように、器具スタンド３は、短い円筒形の側壁３１と、その底部を閉じる底壁３２と、側壁３１の外周面から径方向外方へ突出したつまみ部３３とを備えており、底壁３２は、中央部が隆起しその周縁部と側壁３１との間に溝３４を形成している。溝３４は、シリンダ１０の４本の脚部１４１に対応した寸法で設けられている。したがって、薬剤押出器具１は、使用しないときに、図１に示すように、シリンダ１０の脚部１４１を溝３４に嵌合して、器具スタンド３上に安定的に載置することができる。
【００４７】
薬剤入り容器に使用されるゲル状薬剤としては、ゲル状物質に薬効成分を担持させた薬効徐放性を有する種々の薬剤を用いることができる。例えば、基本的処方として、水溶解遅延作用を有する粘稠性の水溶性ポリマー（ヒドロキシプロピルセルロース等）、水及び溶剤を混合したものをベースとし、これに用途に応じて、消臭成分、除菌成分、漂白成分、殺菌成分、洗浄成分、忌避剤等を加え、必要に応じて、香料、色素、界面活性剤を加えたものとすることができる。
【００４８】
この薬剤付着用具セットは、以下のようにして使用される。シリンダ１０と押し具２０とが分離している場合は、先ず図１に示すように、両者を組み合わせ、突起１５１が窓２５から突出した状態とし、薬剤押出器具１とする。使用前には、この薬剤押出器具１を器具スタンド３に立設させておく。使用時には、器具スタンド３のつまみ部３３を指で押さえるか挟み持つようにし、薬剤押出器具１を把持して器具スタンド３から取り外す。そして、薬剤押出器具１の押し具２０をシリンダ１０に対して上昇させる。このとき、突起１５１が窓２５の下端縁に当接して上昇が規制される。
【００４９】
次に、図２に示すように、タブ１８をつまんで扉部１６を開く。薬剤入り容器４は、容器本体４０から面部材５０を剥がした状態とする。そして、薬剤入り容器４を挿入口１３に挿入する。挿入は、薬剤入り容器４の摘み部４４をつまみ、フランジ４１を下、端壁４３を上にして、保持溝１２１ｃに進入させるようにして行なう。
【００５０】
次に、図３に示すように、扉部１６を閉じる。そして、図８に示すように、手Ｈで操作部２２を把持し、当接部１４を便器のボウルの内面Ｆにあてがい、操作部２２を内面Ｆに向けて強く押す。これにより、シリンダ１０に対して押し具２０がスライドし、突起１５１が窓２５の上端に接してスライドが停止する。このスライドに伴って、軸部２１先端の押圧面２１０が薬剤入り容器４の中央部４３１を押圧する。その結果容器本体４０が押しつぶされていき、薬剤が容器本体４０から放出され、吐出口１２２ａを経て吐出される。吐出された薬剤Ｐは、図８に示すようにボウル内面Ｆに付着する。
【００５１】
次に、薬剤押出器具１をボウルから引き離すと、薬剤Ｐがボウル内面Ｆに付着した状態で残る。この後は、シリンダ１０に対して操作部２２を引き上げ、扉部１６を開き、容器本体４０の摘み部４４をつまんで、挿入口１３から取り出して容器本体４０を廃棄すればよい。
【００５２】
この薬剤押出器具１は、操作部２２が、シリンダ１０の胴部１５を収める鞘部として形成されているので、全体がコンパクトであり且つ円滑なスライド操作が可能となっている。保持部１２１は受け面１２１ａと近接面１２１ｂとの間に保持溝１２１ｃを形成して、薬剤入り容器４のフランジ４１を受け入れるようにしているので、押し具２０による押圧操作中も薬剤入り容器４は保持部１２１に安定的に保持され、薬剤の放出が残存量を少なくして効果的に行なわれる。
【００５３】
薬剤入り容器４が押し潰される際には、フランジ４１が受け面１２１ａで保持され、主として側壁４２が折れ曲がることにより、端壁４３がフランジ４１側へ移動するようにして圧壊が進行する。このように、圧壊が単純な変形で行なわれるので、残存する空間が小さく、薬剤は容器本体４０内にわずかに残留するだけで、その大部分が放出される。
【００５４】
図１７は、薬剤入り容器４が押し潰される状況を段階を追って示しており、(a) は押出器具による押圧前、(b) は押圧途中、(c) は押圧完了後の状態である。図示のように、薬剤入り容器４は、押し潰しが完了した後は、変形した側壁４２の内側に空洞状部分がほとんど形成されず、極めて僅かな隙間が残るに過ぎない。したがって、容器内に残留する内容物はごく僅かとなり、効率的な排出が行なわれている。これは、環状リブ４３２の強度が高くなっているので、側壁４２における環状リブ４３２より下側が主に変形して行き、ほぼ環状に押し潰され、中央部４３１に接触する軸部２１が、押し潰された側壁４２の高さよりも下方へ、端壁４３の中央部４３１を押し下げるからである。
【００５５】
特に、容器本体４０の側壁４２の錐台形状は、容器本体４０の開口部の面の垂線に対して、６度の傾斜となっているので、側壁４２は、端壁４３側の部分が、より径の大きい部分の内側へと変形してほぼ環状に押し潰される。この効果を得るためには、側壁４２の傾斜は、前述のように、３〜１５度とするのが望ましい。
【００５６】
また、この実施形態においては、環状リブ４３２に凹部４３３が設けられているので、凹凸構造に基づいて環状リブ４３２の強度と保形性が高くなっている。しかも、凹部４３３は環状リブ４３２の８箇所に等間隔で設けられているので、側壁４２の変形は、大きな偏りを生じることなく確実に行なわれる。これにより、容器本体４０内の薬剤の効果的な排出が確実に行なわれる。環状リブ４３２における凹部４３３の配置密度は、この環状リブ４３２の強度と保形性を高めるように決められる。その密度は、前述のように、端壁４３周縁部の周方向に１０ｍｍあたり１〜２個とするのが望ましい。したがって、この実施形態の薬剤入り容器４の寸法の場合は、６〜１２箇所に設けるのが望ましい。
【００５７】
また、軸部２１の先端部は、容器本体４０の端壁４３の中央部４３１及び環状リブ４３２の段部に嵌合する中央の凸部２１１とその周囲の凹部２１２とを備えているので、押圧時に軸部２１と容器本体４０との間にずれが生じるのが防止され、薬剤の効果的な放出を確実にする。さらに、軸部２１先端の凸部２１１の平らな面が押圧面２１０を形成しているので、容器本体４０の中央部４３１に対して安定した接触状態で押圧が行なわれ、薬剤の放出をより効果的にする。
【００５８】
なお、薬剤入り容器の形状によっては、異なった態様で押し潰しが行なわれる。図１８に縦断面を示す薬剤入り容器４’は、端壁４３の環状リブ４３２が、周方向に等高状に延びている。図１８は、前述と同様の使用状況で押圧した場合の変形状態を段階的に示しており、(a) は押出器具による押圧前、(b) は押圧途中、(c) は押圧完了後の状態を示す。
【００５９】
この薬剤入り容器４’は、環状リブ４３２より低い端壁４３の中央部４３１に接触する軸部２１の押圧面２１０で押圧を行なえば、環状リブ４３２が、押圧力を側壁４２に均等状に伝えつつ下降する。環状リブ４３２は、周方向に等高状に、連続した滑らかな形状で延びているので、環状リブ４３２に連続する側壁部分を下方へ引き込む。側壁４２は、押込み方向に径が漸増しているので、環状リブ４３２の下降に伴って、小径側が、より大きい径の部分の内側へ折り返されるように変形して行く。これにより、変形後に側壁内側に生じる隙間がより小さくなり、内容物の残留量が少なくなる。こうして、効率的な排出を行なうことができる。
【００６０】
上記説明においては、理解を容易にするために、押し具２０の押圧による薬剤入り容器の変形を典型的な態様で示しており、実際には、上に示した変形（図１７及び図１８に示した変形）が混在した態様となることがある。このことは、容器の変形に関する以下の説明においても同様である。
【００６１】
保持部１２１の吐出口１２２ａは、容器本体４０の開口部より小さい径で保持部１２１に開口しているので、薬剤入り容器４から薬剤が放出される際に吐出口１２２ａに付着する薬剤の量を少なくすることができる。吐出口１２２ａは、薬剤入り容器４の形状等に応じてその寸法や形状が決められるが、吐出口１２２ａに付着する薬剤の量を少なくするには、少なくともシリンダの内径より小さくするのが望ましい。この実施形態では、保持部１２１の仕切壁における吐出口１２２ａ周辺部が壁厚を薄くされている。このように、吐出口形成部分の厚さを薄くすることによって、吐出口に付着する薬剤の量をより少なくすることができる。この壁厚の薄肉化は、仕切壁における吐出口周辺部で行なってもよいし、仕切壁全体で行なってもよい。また、その薄さの程度は、例えば、シリンダ１０の胴部１５の側壁より薄いものとすることができる。
【００６２】
さらに、当接部１４は、次の作用効果を奏する。図２２は、ボウル内面Ｆに薬剤押出器具１をあてがった状態を示している。この状態で押し具の押込み操作をするときに、シリンダ１０を矢印Ｋの方向に傾斜させる力を加えたとする。その場合に、もし当接部１４が剛性の高い構造となっていれば、傾斜方向と反対側の脚部１４１ａが浮き上がり、極めて不安定な状態となる。しかしながら、この実施形態に係る薬剤押出器具１は、当接部１４が、放出口１２２を囲む位置で相互に間隔をおいて設けられた脚部を備えているので、押しつけ力と共に薬剤押出器具を傾斜させる力が作用しても或る程度弾性的に撓むことができる。図示の例では、脚部１４１ｃが一点鎖線の状態から実線の状態へとシリンダ１０の径方向外方へ撓むことにより、他の脚部がボウル内面Ｆから浮き上がることなく、薬剤押出器具１の傾斜を許容する。
特にこの実施形態においては、脚部が、保持部１２１における放出口１２２を囲む位置からシリンダ径方向外方へ延びると共に薬剤放出側へ先細状となっている。したがって、先細状の脚部先端側部分が適度な弾性をもって撓みやすくなっており、被付着面に対してより安定的に接触させることができる。
【００６３】
このように、薬剤押出器具１によれば、当接部１４を被付着面に対して安定的に接触させることができ、薬剤付着のための押圧操作を確実に行なうことができる。この利点は、特に、図示した便器のボウルのように被付着面が曲面である場合に効果的に発揮される。この実施形態では、脚部は保持部１２１の周方向に等間隔に４本設けられているが、３本または５本以上とすることもできる。但し、押込み操作時の良好な安定性を得るには、３〜６本とするのが望ましい。
（第二実施形態）
【００６４】
図１９は、本発明の他の実施形態に係る薬剤付着用具セットについて、その押し具２０Ｇを示す縦断面図であり、図２０は、その押し具２０Ｇによる薬剤入り容器の押圧状況を示す縦断面図である。
【００６５】
この押し具２０Ｇの軸部２１Ｇは、先の実施形態における軸部２１先端のような凸部２１１及び凹部２１２が形成されておらず、軸部２１Ｇは全体的に径がより大きく、先端部付近では、先端面から基端部側へ径を漸増している。その拡径形状は、縦断面において径方向外側へ凸をなす弧状をなしており、先端面２１３は容器本体４０の端壁４３周縁部より僅かに小さい径となっている。特に、この実施形態では、容器本体４０の端壁４３は、中央部４３１より隆起した環状リブ４３２を備えているので、軸部２１Ｇの先端面は、環状リブ４３２の内側に嵌合する径とされている。この実施形態における他の形態は、第一実施形態と同じである。
【００６６】
この実施形態において、図１８(a) に示した形態の薬剤入り容器４’を挿入して押圧を行なえば、圧壊は図２０に示すように行なわれ、その基本的な形態は図１８に示した圧壊状況と近似している。すなわち、図２０(a) に示すように、容器本体４０の端壁４３に軸部２１Ｇの先端部が接近し、さらに下降すると、先端部が端壁４３の隆起した環状リブ４３２に嵌合する。そして、先端面２１３が押圧面２１０となって端壁４３の中央部４３１を押圧する。押込みが進行すると、図２０(b) に示すように、容器本体４０の側壁４２は、径方向内側へ折り返されるように変形して行く。そして、圧壊の最終段階では、図２０(c) に示すように、変形した側壁４２の径方向外側に位置する部分と内側に位置する部分とが接近した状態となる。また、内側へ折り曲げられつつ進行する変形により、側壁４２の皺の発生が少ない。
【００６７】
特に、この実施形態では、軸部２１Ｇの先端付近が縦断面において弧状をなして拡径した形状となっているので、容器本体４０の圧壊の進行に伴って、折り曲げられる側壁部分の径に近い軸径部分で容器本体４０の側壁４２に接触または接近することとなる。すなわち、圧壊が進行するにしたがって、容器本体４０の折り曲げ箇所は開口端側へ移行してその径を拡大させるが、これと共に、側壁４２に接触または接近する軸径部は、図２０(a) のd0、同(b) のd1、同(c) のd2と拡大する。その結果、変形した側壁４２の径方向外側部分と内側部分とがごく接近した状態となり、圧壊後に容器本体４０内に残留する薬剤の量はより僅かとなる。
（第三実施形態）
【００６８】
図２１は、本発明のさらに他の実施形態に係る薬剤付着用具セットについて、その押し具２０Ｈの先端部を中心に示すと共に、押し具２０Ｈによる薬剤入り容器の押圧状況を示す縦断面図である。
【００６９】
この押し具２０Ｈの軸部２１Ｈは、第一実施形態の軸部２１及び第二実施形態の軸部２１Ｇの特徴を兼ね備えたものである。すなわち、軸部２１Ｈの先端部には、第一実施形態におけるのと同様の凸部２１１Ｈ及び凹部２１２Ｈが形成されており、軸部２１Ｈは全体的に径がより大きく、先端部付近は、基端部側へ径を漸増している。この実施形態では、軸部２１Ｈの拡径は、先端部における凹部２１２Ｈの基端から開始している。軸部２１Ｈの拡径形状及び先端面の径は、第二実施形態におけるものと同じである。
【００７０】
この実施形態において、図１８(a) に示した形態の薬剤入り容器４’を挿入して押圧を行なえば、薬剤入り容器４’の圧壊は図２１に示すように行なわれ、その基本的な形態は第一実施形態における図１８の例及び第二実施形態のものを合わせた圧壊状況となっている。すなわち、図２１(a) に示す軸部２１Ｈと容器本体４０との接近状態から、押込みが進行すると、図２１(b) の途中段階を経て、図２１(c) に示す最終段階に至る。この実施形態では、軸部２１Ｈの先端部は凸部２１１Ｈと凹部２１２Ｈとで、容器本体４０の環状リブ４３２に嵌合し、容器本体のずれや外れが防止される。また、押込みが開口端側へ移行するにしたがって、容器本体４０の折り曲げ箇所はより大きな径の側壁部分へと移行するが、これと共に、側壁４２に接触または接近する軸径部は、図２１(a) のd0、同(b) のd1、同(c) のd2と拡大する。その結果、変形した側壁４２の径方向外側部分と内側部分とがごく接近した状態となり、圧壊後に容器本体４０内に残留する薬剤の量は極めて僅かとなる。
（第四実施形態）
【００７１】
図９は、本発明に係る薬剤付着用具セットの他の実施形態を示す斜視図であり、その構成要素である薬剤押出器具のシリンダ１０Ａ及び薬剤入り容器４Ａを示す。なお、この実施形態及び以下に説明するさらに他の実施形態において、押し具２０及び器具スタンド３は第一実施形態と同じものを用いることができるので、説明と図示は省略する。
【００７２】
この実施形態の基本的な構造は、図９(a) に示すように第一実施形態と同様である。異なるのは薬剤入り容器４Ａ及び吐出部１２Ａの吐出に関する構造である。すなわち、図９(b) に示すように、薬剤入り容器４Ａの面部材５０Ａには、吐出用開口部５１が形成され、これをシール部材５２が開封可能に封止していている。吐出用開口部５１は、第一実施形態における吐出口１２２ａと同様の機能を奏するように寸法及び形状が決められる。
【００７３】
面部材５０Ａは、軸部２１から受ける押圧力に抗して吐出用開口部５１からの吐出を可能にする保形性を有するように、ある程度剛性の高いものとされ、フランジ４１に接着剤による接着や熱融着で接合し、または、側壁４２やフランジ４１と一体的に成形し、或いは、軸部２１による押圧力に抗するように嵌合若しくは係合させる等により形成することができる。その材質として、ポリエチレン、ポリプロピレン等を用いることができる。具体的には、面部材５０Ａは、ポリエチレン、ポリプロピレン等で射出成形したものを、嵌合、接着、熱融着等で容器４Ａに設けるのが好ましい。シール部材５２は、吐出用開口部５１を密封し且つ手指で剥離しやすいものとされ、例えば、ポリエチレンテレフタレート／アルミニウム／ナイロン／イージーピールシーラントの積層体等のフィルムで形成される。
【００７４】
容器本体４０と面部材５０Ａとの接合を、接着または熱融着で行なう場合は、その接合強度よりも、面部材５０Ａとシール部材５２との接合強度を弱くし、シール部材５２の剥離時に面部材５０Ａが剥離しないようにする。
【００７５】
吐出部１２Ａの放出口１２３は、薬剤入り容器４Ａが開口端側を保持部１２１に向けて挿入口１３から挿入されたときに、容器本体４０の吐出用開口部５１より外側に該放出口１２３の周縁が位置する大きさとされている。但し、放出口１２３は、受け面１２１ａによるフランジ４１の保持が損なわれない程度の大きさとされる。
【００７６】
この薬剤付着用具セットを使用する場合は、図９(c) に示すように、薬剤入り容器４Ａのシール部材５２を面部材５０Ａから剥がし、フランジ４１を下にして保持部１２１の受け面１２１ａ上に置く。その他は、第一実施形態の場合と同じである。
【００７７】
この実施形態においては、押し具２０からの押圧力により、容器本体４０が押し潰されるのに伴って、ゲル状薬剤は薬剤入り容器４Ａの吐出用開口部５１から所定断面形状に押し出され、保持部１２１の放出口１２３を経て、吐出が行なわれる。放出口１２３は、保持部１２１に挿入された薬剤入り容器４の吐出用開口部５１より外側に該放出口１２３の周縁が位置する大きさとされているので、薬剤は吐出される際に放出口１２３の縁部に付着しないか、付着してもごく少量となり、薬剤押出器具を清浄に保つのに有利である。
【００７８】
吐出用開口部は、薬剤入り容器の容器本体に設けることもできる。図１６は、容器本体４０Ｆの端壁４３Ｆに吐出用開口部４７Ｆを設けた薬剤入り容器４Ｆの例を示している。この容器本体４０Ｆは、カップ形状をなし、開放端４６Ｆを上にした場合、下方へ縮径する円錐台形状の側壁４２Ｆと、該側壁の底部を閉じる端壁４３Ｆとを備えている。開放端４６Ｆは面部材５０Ｆにより覆われており、面部材５０Ｆの周縁部５０１は、側壁４２Ｆ上端部付近の内面から外面に掛けて接合されている。端壁４３Ｆは平坦になっており、そこに吐出用開口部４７Ｆが形成され、これをシール部材５２Ｆが開封可能に封止していている。吐出用開口部４７Ｆは、第一実施形態における吐出口１２２ａと同様の機能を奏するように寸法及び形状が決められる。
【００７９】
シール部材５２Ｆは、剥離時に指で把持できるように一端側へ延びた摘み部５２１を備えている。これらの容器本体４０Ｆ、面部材５０Ｆ及びシール部材５２Ｆは、前述のものと同様の材料で形成することができ、面部材５０Ｆ及びシール部材５２Ｆは、接着剤による接着や熱融着等により、容器本体４０Ｆに接合することができる。シール部材５２Ｆの接合は、手指で剥がせる程度の強度とする。
【００８０】
この薬剤入り容器４Ｆも、図９の実施形態について説明したのと同様にして使用することができる。したがって、薬剤押出器具の放出口１２３を、保持部１２１に挿入された薬剤入り容器４Ｆの吐出用開口部４７Ｆより外側に該放出口１２３の周縁が位置する大きさとしておくことにより、薬剤は吐出される際に該放出口１２３の縁部に付着しないか、付着してもごく少量となり、薬剤押出器具を清浄に保つのに有利であるという効果が得られる。
（第五実施形態）
【００８１】
図１０及び図１１は、本発明に係る薬剤付着用具セットのさらに他の実施形態を示す斜視図であり、その構成要素である薬剤押出器具１Ｂ及び薬剤入り容器４Ｂを示す。なお、器具スタンド３は第一実施形態と同じものを用いることができる。
【００８２】
この実施形態においても、薬剤付着用具セットの薬剤押出器具１Ｂがシリンダ１０Ｂと押し具２０Ｂとを備えた基本的な構造は、第一実施形態と同じであるので、以下では異なる点を中心に説明する。
【００８３】
薬剤押出器具１Ｂのシリンダ１０Ｂは全体的に円筒状をなし、上端の開口部１１（図１１）が薬剤入り容器４Ｂを挿入するための挿入口１３Ｂとなっている。この挿入口１３Ｂは、第一実施形態において示した扉部１６付きの挿入口１３に代わるものである。シリンダ１０Ｂの胴部１５Ｂの軸方向中央部には、上下方向に細長く延びる窓１５７が形成されている。また、胴部１５Ｂの内面には、軸方向に延びるガイド用の突条１５８が相互に周方向に間隔をおいて２本設けられている。シリンダ１０Ｂは、胴部１５Ｂに挿入口が設けられていないので、全周に亘って当接部１４の仕切壁に一体的に結合されている。吐出部１２及び当接部１４の構造は、第一実施形態のものと同じである。
【００８４】
押し具２０Ｂは、棒状をなし下端部（吐出部１２側の端部）がほぼ平らな押圧面２１０とされた軸部２１Ｂを備える点は、第一実施形態と同じである。しかし、この実施形態では、押し具２０Ｂの操作部２２Ｂは、軸部２１Ｂの上端部から上方（吐出部１２とは反対側）へ軸部２１Ｂと同軸状に延びる延長部の形態となっている。
【００８５】
軸部２１Ｂは、シリンダ１０Ｂに緩く嵌合する外径を有する円筒状をなし、内周面にはシリンダ１０Ｂの突条１５８に係合するように軸方向に延びた縦溝２２５が形成されている。軸部２１Ｂの先端部（下端部）は、第一実施形態と同様に、容器本体４０Ｂの底部の段部に嵌合するように、中央の凸部２１１とその周囲の凹部２１２とを備え、凸部２１１の平らな面が押圧面２１０を形成している。軸部２１Ｂの側壁には、径方向外方へ突出した突起２２６が設けられており、該突起２２６の下端部付近から両側部付近を通って上方へ延びるスリット２２７により、弾力的に変形する短冊状の支持片２２８が形成されている。
【００８６】
操作部２２Ｂは、軸部２１Ｂとほぼ同じ径の棒状をなし、手で把持するのに適した長さを有している。
【００８７】
この薬剤押出器具１Ｂに用いる薬剤入り容器４Ｂは、図１１に示すように、カップ状の容器本体４０Ｂにゲル状薬剤を入れ、該容器本体の開口端を面部材５０Ｂで開封可能に密封したものである。容器本体４０Ｂは、フランジ４１の幅を小さくし、面部材の摘み部を除去した点以外は、第一実施形態の容器本体４０と同じであり、開口端から底部へ向けて（図では上方へ）縮径する円錐台形状の側壁４２と、該側壁の底部を閉じる端壁４３とを備えている。面部材５０Ｂは、容器本体４０Ｂの開口端を閉じる平面部５６と、該平面部５６の周縁から容器本体４０Ｂの側壁４２に沿うように曲折し容器周方向に帯状に延びる側面部５７からなり、側面部５７が容器本体４０Ｂの側面に接合されている。この面部材５０Ｂも、第一実施形態の面部材と同様に、ポリエチレンテレフタレート／アルミニウム／ナイロン／イージーピールシーラントの積層体等で形成され、容器本体４０Ｂへの接合は、接着剤による接着、熱融着等により行なうことができる。
【００８８】
この薬剤付着用具セットの使用方法は、第一実施形態のものと基本的に同様であるので、異なる点を中心に説明する。先ず、図１１に示すように、シリンダ１０Ｂと押し具２０Ｂとを分離した状態とし、シリンダ１０Ｂの開口部１１から薬剤入り容器４Ｂを挿入する。薬剤入り容器４Ｂは、予め容器本体４０Ｂから面部材５０Ｂを剥がした状態とし、容器本体４０Ｂの開口部を下（開口部１１）に向けて挿入し、吐出部１２の受け面１２１ａ上に至らせる。この挿入は、開口部１１から薬剤入り容器４Ｂを落下させ、または、細長い保持部材で薬剤入り容器４Ｂを保持して行なうことができる。
【００８９】
次に、図１０に示すように、両者を組み合わせる。これは、図１１の分離状態にある押し具２０Ｂの突起２２６を指で押し込んだ状態で、縦溝２２５を突条１５８に合わせて、開口部１１（挿入口１３Ｂ）からシリンダ１０Ｂの胴部１５Ｂ内へ押し具２０Ｂを挿入することにより行なう。ある程度挿入すると、突起２２６が窓１５７に嵌るので、そこで挿入を停止する。これで、押し具２０Ｂの押圧面２１０が、薬剤入り容器４Ｂの僅か上方の位置に達した状態となっている。
【００９０】
そして、手で操作部２２Ｂを把持し、当接部１４を便器のボウルの内面にあてがい、操作部２２Ｂを強く押す。これにより、シリンダ１０Ｂに対して押し具２０Ｂがスライドし、突起２２６が窓１５７の下端に接してスライドが停止する。このスライドに伴って、軸部２１Ｂ先端の押圧面２１０が薬剤入り容器４Ｂの端壁４３を押圧する。この押圧による容器本体４０Ｂの圧壊及びこれに伴う薬剤の吐出は、第一実施形態の場合と同様に行なわれ、吐出された薬剤はボウル内面に付着する。そして、薬剤押出器具１Ｂをボウルから引き離すと、薬剤がボウル内面に付着した状態で残る。
【００９１】
この後は、シリンダ１０Ｂに対して操作部２２Ｂを引き上げ、突起２２６を窓１５７の内側へ押し込んだ状態で、押し具２０Ｂをシリンダ１０Ｂから引き抜く。そして、薬剤を放出した後の容器本体４０Ｂを開口部１１から取り出す。この取り出しは、シリンダ１０Ｂの開口部１１を下に向け、容器本体４０Ｂを落下させて行なうことができる。或いは、軸部２１Ｂ先端の凸部２１１が、変形した容器本体４０Ｂの端壁４３（特に環状リブ４３２）に嵌合した状態となる場合は、押し具２０Ｂの引き抜きと共にシリンダ１０Ｂから取り出すこともできる。
（第六実施形態）
【００９２】
図１２及び図１３は、本発明に係る薬剤付着用具セットの他の実施形態を示す斜視図であり、図１２はシリンダ１０Ｃ及び薬剤入り容器４を示し、図１３はシリンダ１０Ｃ及び押し具２０Ｃを示している。この実施形態の基本的な構造は、第一実施形態と同様であり、異なるのはシリンダの挿入口を覆う扉部の構造及びこれに関連する部分の構造であるので、以下ではこの点を中心に説明する。
【００９３】
この薬剤付着用具セットの薬剤押出器具１Ｃは、シリンダ１０Ｃに設けられた扉部１６Ｃが、シリンダ１０Ｃの軸線方向へ摺動することにより、挿入口１３を開閉する構造となっている。扉部１６Ｃは、下降位置において挿入口１３を覆い得る寸法を有しており、シリンダ１０Ｃの胴部１５Ｃと同じ曲率半径の同径部１６１を備え、その下部には、胴部１５Ｃの下端付近の張出し部１２５に周方向に連続するように拡径部１６２が設けられている。挿入口１３より上方の胴部部分は、扉部１６Ｃが挿入口１３を開放する高さまで上昇し得るように、径方向内方に陥没した没入部１５４となっている。挿入口１３及び没入部１５４のシリンダ軸線方向に延びる縁部には、内面側が小さく欠かれて係合溝１５９が形成されている。
【００９４】
図１４は、図１３のＣ−Ｃ線に沿う断面（水平断面）の一部を示している。この図に示されているように、扉部１６Ｃの両側端縁は、内面側が周方向に僅かに突出した凸縁１６３となっており、係合溝１５９に係合している。シリンダ１０Ｃから分離している扉部１６Ｃをこのように係合させるには、扉部１６Ｃの曲率半径を小さくするように弾性変形させた状態で、両側の凸縁１６３を係合溝１５９に挿入すればよい。これにより、扉部１６Ｃは、係合溝１５９に案内されてシリンダ１０Ｃの軸線方向に摺動可能となる。
【００９５】
押し具２０Ｃは、図１３に示すように、全体的な形状が第一実施形態のものと近似しているが、第一実施形態におけるスリット２２２，２２３が設けられておらず、連続面となっている。
【００９６】
この薬剤押出器具１Ｃを使用する際は、図１３に示す押し具２０Ｃをシリンダ１０Ｃに被せるようにして組み合わせ、突起１５１が窓２５に係合した状態とする。次に、図１２に示すように、扉部１６Ｃを上昇させて、薬剤入り容器４を挿入口１３へ挿入し、扉部１６Ｃを下降させる（図１３の状態）。扉部１６Ｃの同径部１６１には、扉部１６Ｃを上下させる際に指の係止部となる凹部１６４が設けられている。
【００９７】
扉部１６Ｃの拡径部１６２の下部には、薬剤入り容器４の摘み部４４をシリンダ１０Ｃ内から外へ突出させるための切欠き部１６２ａが設けられている。したがって、図１３に示すように、扉部１６Ｃは、摘み部４４に妨げられることなく受け面１２１ａに当接するまで下降させることができる。
【００９８】
こうして準備できた後は、第一実施形態において説明したように、当接部１４を被付着面にあてがった状態で、押し具２０Ｃの操作部２２Ｃを強く押す等の操作を行なえばよい。
（第七実施形態）
【００９９】
図１５は、本発明に係る薬剤付着用具セットのさらに他の実施形態について示すものであり、図示の薬剤入り容器を用いるものである。第一実施形態においては、使用の際に、面部材５０を剥離した後に、薬剤入り容器４を保持部１２１に置くという仕様になっていた。図１５に示す実施形態においては、面部材は容器本体４０に接合されたまま保持部に置かれ、押し具による押圧力が作用したときに容器内の内圧が高くなることにより開封される仕様となっている。
【０１００】
図１５(a) に示す薬剤入り容器４Ｄは、ゲル状薬剤が面部材５０Ｄにより開封可能に密封されており、使用の際は、面部材５０Ｄが下になるようにして薬剤押出器具の保持部に置かれる。図１５(a) の一点鎖線は、押し具によって押圧され、容器内圧の上昇により薬剤入り容器４Ｄの面部材５０Ｄが破断し、開口部５３が形成された状態を示している。この破断を可能とするために、面部材５０Ｄは強度の低いものとされる。このためには、面部材５０Ｄの厚さを薄くする、材質を低強度のものにする等の手段を採用することができる。
【０１０１】
また、図１５(b) に示す薬剤入り容器４Ｅのように、面部材５０Ｅに破れやすい低強度部５４を形成しておくこともできる。低強度部５４は、例えばその部分の肉厚を薄くし、或いは、内容物を密閉し得るようにスリットまたは切り込みを設けることにより形成することができる。
【０１０２】
破断しやすい面部材を保護するために、その外面に保護シートを貼着することができる。この場合は、保護シートを剥離してから、薬剤入り容器を保持部１２１に置くようにする。
【０１０３】
保持部１２１に置かれ、押し具２０から押圧力を受けて開封した薬剤容器は、開口部から薬剤を放出し、放出された薬剤は、第一実施形態において説明したのと同様にして、吐出口１２２ａから吐出される。
【０１０４】
以上、本発明の実施形態について説明したが、本発明はこれらに限定されるものではなく、その趣旨を逸脱しない限りにおいて種々の変更が可能である。例えば、前述の実施形態においては以下のような変更が可能であり、それらの変更態様は、機能を損ねない限り他の実施形態について適用することもできる。
【０１０５】
挿入口１３を覆う扉部は、ヒンジによる回動可能な取付け、シリンダの軸線方向に摺動可能な取付けの他、シリンダに対して脱着可能にすることによって挿入口１３を開閉するようにしてもよい。また、薬剤入り容器４が挿入口１３から脱落する畏れがない場合は、扉部１６を省略することも可能である。
【０１０６】
当接部１４の脚部１４１は、４本の他、２〜３本または５本以上とすることもできる。また当接部１４は、放出口１２２を囲む連続壁により形成することもでき、囲繞壁の先端形状は被付着面に合わせたものとすることもできる。
【０１０７】
シリンダ１０及び押し具２０の断面形状は、円形の他、三角形、四角形その他の多角形、長円形等、種々の形状とすることができる。
【０１０８】
薬剤入り容器４の容器本体４０は、開口部のフランジ４１を面部材５０で覆うものとする他、全体を球状、卵形、立方体状、直方体状、円柱状、多角柱状、円錐台状、多角錐台状等とすることもできる。これらの場合は、保持部１２１には、フランジ４１を受け入れるための近接面１２１ｂ及び保持溝１２１ｃを省略することができる。
【０１０９】
図１５(a) に示した薬剤入り容器４Ｄのように、面部材が容器本体に接合されたまま保持部に置かれ、押し具による押圧力が作用したときに容器内の内圧が高くなることにより開封されるという仕様は、図１１に示した薬剤入り容器４Ｂに対しても適用することができる。
【０１１０】
本発明に係る薬剤付着用具セットを用いれば、実施形態に示した水洗便器の他、洗面台、浴室（浴槽・洗い場）、シャワー室、自動食器洗い機等のように流水や滞留水に接する箇所に薬剤を付着させることにより、水に薬剤を含ませることができる。また、居室、クローゼット、下駄箱等のように空気雰囲気の箇所に薬剤を付着させることにより、芳香、消臭等の薬効を奏することができる。
【符号の説明】
【０１１１】
１，１Ｂ，１Ｃ  薬剤押出器具
３              器具スタンド
４，４’，４Ａ，４Ｂ，４Ｄ，４Ｅ，４Ｆ  薬剤入り容器
１０，１０Ａ，１０Ｂ，１０Ｃ    シリンダ
１１            開口部
１２，１２Ａ    吐出部
１３，１３Ｂ    挿入口
１４            当接部
１５，１５Ｂ，１５Ｃ    胴部
１６，１６Ｃ            扉部
１７            ヒンジ
２０，２０Ｂ，２０Ｃ    押し具
２１，２１Ｂ    軸部
２２，２２Ｂ，２２Ｃ    操作部
４０，４０Ｂ    容器本体
４１            フランジ
４３            端壁
５０，５０Ａ，５０Ｂ，５０Ｄ，５０Ｅ    面部材
１２１          保持部
１２１ａ        受け面
１２１ｂ        近接面
１２１ｃ        保持溝
１２２，１２３  放出口
１２２ａ        吐出口
１４１          脚部
２１０          押圧面
２１１          凸部
２１２          凹部
２２１          フランジ
４３１          中央部
４３２          環状リブ
４３３          凹部
Ｆ              ボウル内面
Ｈ              手
Ｐ              薬剤
【図１】
0005546823.tif 000002
【図２】
0005546823.tif 000003
【図３】
0005546823.tif 000004
【図４】
0005546823.tif 000005
【図５】
0005546823.tif 000006
【図６】
0005546823.tif 000007
【図７】
0005546823.tif 000008
【図８】
0005546823.tif 000009
【図９】
0005546823.tif 000010
【図１０】
0005546823.tif 000011
【図１１】
0005546823.tif 000012
【図１２】
0005546823.tif 000013
【図１３】
0005546823.tif 000014
【図１４】
0005546823.tif 000015
【図１５】
0005546823.tif 000016
【図１６】
0005546823.tif 000017
【図１７】
0005546823.tif 000018
【図１８】
0005546823.tif 000019
【図１９】
0005546823.tif 000020
【図２０】
0005546823.tif 000021
【図２１】
0005546823.tif 000022
【図２２】
0005546823.tif 000023